(57)【要約】【課題】表面に回折格子パターンを有する情報記録媒体において、たとえ基材の表面が平滑性に欠ける場合でも、確実に真贋判定を行うことが可能な情報記録媒体及びその製造に利用できる転写箔の提供にある。【解決手段】基材２上の片面に、少なくとも回折格子パターンにより形成されたコード情報でなる回折格子情報記録部５を有する回折格子形成層６と、反射性薄膜層４もしくは透過性薄膜層のいずれかがこの順に転写によって順次積層されている情報記録媒体１において、前記反射性薄膜層４もしくは透過性薄膜層のいずかと基材２の間に、基材の中心線平均粗さの２倍以上の厚みの凹凸吸収層３が設けられている情報記録媒体１とその製造に利用できる転写箔である。【選択図】図１
2007130964.tif 000002
【特許請求の範囲】
【請求項１】
基材上の片面に、少なくとも回折格子パターンにより形成されたコード情報を有する回折格子形成層と、反射性薄膜層もしくは透過性薄膜層のいずれかが、この順に又はこの逆の順に積層されている情報記録媒体において、前記反射性薄膜層もしくは透過性薄膜層のいずれかと基材の間に、凹凸吸収層が設けられていることを特徴とする情報記録媒体。
【請求項２】
前記凹凸吸収層の厚みは、基材の中心線平均粗さの２倍以上であることを特徴とする請求項１に記載の情報記録媒体。
【請求項３】
請求項１又は２に記載の情報記録媒体の製造に利用可能な転写箔であって、支持体上の片面に、該支持体から剥離可能な転写層として、少なくとも、回折格子パターンにより形成されたコード情報を有する回折格子形成層、反射性薄膜層もしくは透過性薄膜層のいずれか、および凹凸吸収層が順次積層されていることを特徴とする転写箔。
【発明の詳細な説明】
【技術分野】
【０００１】
本発明は、データに基づき形成されるコード情報を記録でき、特に偽造・変造・改ざんに対して有効な情報を付与する情報記録媒体およびその製造に利用できる転写箔に関するものであり、さらに詳しくは、商品券等や（クレジット）カード等の有価証券類（特にはセキュリティ対策の要求が高い高額なものや重要なもの）の偽造防止対策（偽造の発見や抑止）、真正品であることの認証（例えばブランド品や高級品等の高価なものへ適用が一般に希望が多い）の為の偽造防止対策（偽造の発見や抑止）を付与することで検証機能を備えたものである。
【背景技術】
【０００２】
従来から、平面状の基板上に表面に回折格子を有する微小な回折格子要素（ドット）を画素として複数個配置することにより得られる回折格子パターンを有するディスプレイなどの情報記録媒体が多く使用されてきている。
【０００３】
このうち、２光束干渉による回折格子パターンを有する情報記録媒体は、２光束干渉による微小な干渉縞（以下、回折格子と称す）を、そのピッチ、方向および光強度を変化させて感光性フィルムに次々と露光して得られるものである（例えば、特許文献１参照。）。
【０００４】
より具体的には、この回折格子パターンは、複数の微小な回折格子要素に分割されていると共に、各回折格子要素の回折格子におけるピッチ、空間周波数、さらには各回折格子要素の並べ方を適宜変化させ、さらに回折格子要素表面の回折格子の方向を要素毎に変化させてなるものである。
【０００５】
さらに、回折格子パターンを有する情報記録媒体としては、例えば電子ビーム露光装置を用い、コンピュータの制御により、平面状の基板が載置されたＸＹステージを移動させ、基板の表面に微小な回折格子要素の複数個を絵柄状に記録・配置することにより得られる、所定絵柄の回折格子パターンが形成された情報記録媒体も提案されている（例えば、特許文献２参照。）。
【０００６】
ところで、このような回折格子パターンを有する情報記録媒体の真贋を、検証機を用いて判定する方法としては、例えば、微小な回折格子要素（ドット）の配列中に記録してあるパターン情報の部分へレーザー光等を照射して回折光を得、それをセンサーで読み取り、記録し、それに基づき真贋の判定を行う方法が採用されている。
【０００７】
また、肉眼では観察できないパターン、もしくは識別できないパターンとして情報を記録しておき、レーザー光を用いた読取装置などを用いてその情報を読取って真贋判定を行う方法が提案されている。
【０００８】
しかしながら、このような方法で真贋の判定を行う場合、判定対象となる情報記録媒体の回折格子パターンが、例えば転写箔を使用した転写によって紙上に形成されたような場合には、転写される側の紙の平滑性が一般的に悪いため、転写箔が紙表面の凹凸に沿って曲げられるため、転写箔における回折格子パターンの凹凸状態やパターンが忠実に紙上に転写・再現されず、結果として判定時に正しい再生像を得ることができなくなってしまい、その情報を明確に読取ることが困難となっていた。
【０００９】
以下に、上記先行技術文献を示す。
【特許文献１】特開昭６０−１５６００４号公報
【特許文献２】米国特許第５０５８９９２号明細書
【発明の開示】
【発明が解決しようとする課題】
【００１０】
本発明は、かかる従来技術の問題点を解決するものであり、その課題とするところは、表面に回折格子を有する微小な回折格子要素（ドット）を画素として複数個配置することにより得られる回折格子パターンを有する情報記録媒体において、たとえ基材の表面が平滑性に欠ける場合でも、確実に真贋判定を行うことが可能な情報記録媒体およびその製造に利用可能な転写箔を提供することにある。
【課題を解決するための手段】
【００１１】
本発明に於いて上記課題を達成するために、まず請求項１の発明では、基材上の片面に、少なくとも回折格子パターンにより形成されたコード情報を有する回折格子形成層と、反射性薄膜層もしくは透過性薄膜層のいずれかが、この順に又はこの逆の順に積層されている情報記録媒体において、前記反射性薄膜層もしくは透過性薄膜層のいずれかと基材の間に、凹凸吸収層が設けられていることを特徴とする情報記録媒体としたものである。
【００１２】
また、請求項２の発明では、前記凹凸吸収層の厚みは、基材の中心線平均粗さの２倍以上であることを特徴とする請求項１に記載の情報記録媒体としたものである。
【００１３】
また、請求項３の発明では、請求項１又は２に記載の情報記録媒体の製造に利用可能な転写箔であって、支持体上の片面に、該支持体から剥離可能な転写層として、少なくとも、回折格子パターンにより形成されたコード情報を有する回折格子形成層、反射性薄膜層もしくは透過性薄膜層のいずれか、および凹凸吸収層が順次積層されていることを特徴とする転写箔としたものである。
【発明の効果】
【００１４】
本発明は以上の構成であるから、下記に示す如き効果がある。
【００１５】
即ち、上記請求項１に係る発明によれば、基材上の片面に、少なくとも回折格子パターンにより形成されたコード情報を有する回折格子形成層と、反射性薄膜層もしくは透過性薄膜層のいずれかが、この順に又はこの逆の順に積層されている情報記録媒体において、前記反射性薄膜層もしくは透過性薄膜層のいずれかと基材の間に、凹凸吸収層が設けられていることによって、たとえ、紙の如く基材の表面が凹凸を有する場合でも、その凹凸が転写により凹凸吸収層で吸収されるので、回折格子パターンの回折光の方向性が大きく変化することがなく、よって読み取り装置によるコード情報の読み取り性の低下を防ぐことができる。
【００１６】
また、上記請求項２に係る発明によれば、凹凸吸収層の厚みを、基材の中心線平均粗さの２倍以上とすることによって、基材表面の凹凸を吸収することができる効果がある。その凹凸吸収層の厚みが２倍以下では、基材表面の凹凸が吸収されないので、回折格子パターンの回折光の方向性が大きく変化し、読み取り装置によるコード情報の読み取り性の低下となるので好ましくない。
【００１７】
また、上記請求項３に係る発明によれば、請求項１又は２に記載の情報記録媒体の製造に利用可能な転写箔であって、支持体上の片面に、該支持体から剥離可能な転写層として、少なくとも、回折格子パターンにより形成されたコード情報を有する回折格子形成層、
反射性薄膜層もしくは透過性薄膜層のいずれか、および凹凸吸収層が順次積層されていることによって、この転写箔から基材上に転写された情報記録媒体は、たとえ紙の如く基材の表面が凹凸を有する場合でも、その凹凸がこの転写箔からの転写により凹凸吸収層で吸収されるので、回折格子パターンの回折光の方向性が大きく変化することがなく、よって読み取り装置によるコード情報の読み取り性の低下を防ぐことができる。
【００１８】
従って、本発明は、上質紙等の表面平滑性が低い基材を用いても、回折光の方向が大きく変化しないため、回折格子パターンによるコード情報の読み取り性の低下を防ぐことができ、真贋判定が確実に可能な情報記録媒体およびその製造に用いる転写箔とすることができる。
【発明を実施するための最良の形態】
【００１９】
以下本発明を実施するための最良の形態を図面を用いて詳細に説明する。
【００２０】
図１は、本発明の情報記録媒体及び読取装置の構成を示す図であり、まず、その情報記録媒体１について説明する。情報記録媒体１は、基材２上に凹凸吸収層３、反射性薄膜層４（もしくは透過性薄膜層（図示せず））、回折格子形成層６の順に積層され、この回折格子形成層６中に回折格子情報記録部５が設けられている。この回折格子情報記録部５に読み取り光を照射して情報を読取る仕組みである。基材２と凹凸吸収層３の間は適当な密着力を得るために、接着剤層（図示せず）を設けてもよい。
【００２１】
基材２は一般的には安価で丈夫な紙が使用されるが、これ以外にもプラスチックやガラス、セラミクス、木材等々どのような材料でも使用可能である。例えば基材２として紙を選択した場合、表面粗さは使用する材料によって大きく異なる。表面粗さが大きいほど回折格子情報記録部５から得られる回折光１４の方向性が不正確になりやすくなり、結果として読み取りの正確性を欠くことになる。
【００２２】
この回折光１４の方向を狂わせないようにするため、凹凸吸収層３を設けている。この凹凸吸収層３の厚みは基材２の中心線平均粗さ（Ｒａ）の２倍以上の厚みとする。これ以下では基材２の表面粗さによる凹凸を凹凸吸収層３で吸収しきれなくなり、結果として回折光１４が正しい方向に進みにくくなる。
【００２３】
上記平均粗さ（Ｒａ）とは、粗さ曲線を中心で折り返し、その粗さ曲線と中心線でできた図形の面積の合計を測定長さで割った値である。このＲａは、表面粗さを代表する値としては最も小さい値で示される。例えば、最大粗さや十点平均粗さなどは、Ｒａの１０倍前後の数値が得られることが多い。
【００２４】
最も理想的なのは、凹凸吸収層３が基材２の表面の凹凸を完全に吸収し、その上に位置する回折格子情報記録部５の面が平滑になることだが、実際には完全な平滑が得られなくともある程度の平滑性が得られれば読取りは可能であり、読取り精度も格段に向上することを見出し、本発明を完成するに至ったものである。
【００２５】
上記凹凸吸収層３の厚みが基材２の中心線平均粗さ（Ｒａ）の２倍以上であれば読取り精度が向上する理由は、以下のように考えられる。即ち、前述のようにＲａは、粗さ曲線の面積と測定長さから導かれる。これは、概ね粗さ曲線で得られる凹凸部分の積分値を計算の基本にしているものと解釈できる。しかし、Ｒａは中心線で折り返した計算値であるから、実際には２倍にした厚みが、ほぼ凹凸曲線をカバーするだけの厚みに近いためではないかと考えられる。
【００２６】
上記凹凸吸収層３の材料としては、従来公知の一般的な樹脂材料が使用可能であり、例
えば、ポリエステル樹脂、ポリウレタン樹脂、アクリル樹脂、塩化ビニル酢酸ビニル共重合樹脂等が使用可能である。
【００２７】
また、反射性薄膜層４又は透過性薄膜層（図示せず）は情報記録媒体１の表面から入射した読取光１３を効率よく回折させるために設けられるものであり、一般的には反射性薄膜層としては、反射性の高い材料であるＡｌやＳｎといった蒸着薄膜が使用され、また、透過性薄膜層としては、回折格子形成層６よりも屈折率の高い蒸着膜が使用され、本来は反射性が低く透明であるが、ある角度の方向から見た場合に反射を起こさせるためのものであって、例えば、二酸化チタン（屈折率ｎ＝２．４）、二酸化ジルコニウム（ｎ＝２．０）、硫化亜鉛（ｎ＝２．３）、酸化亜鉛（ｎ＝２．１）、酸化インジウム（ｎ＝２．０）、二酸化セリウム（ｎ＝２．３）、酸化タンタル（ｎ＝２．１）等が用いられる。
【００２８】
また、回折格子形成層６は必要な回折格子の情報を形成するための層であり、本構成の場合には、情報記録媒体１の保護層の役目も兼ねている。ただし、必ずしもこの構成にこだわることはなく、回折格子形成層６の上に保護層を設けてもかまわない。
【００２９】
回折格子情報記録部５は、回折格子形成層６に凹凸による回折格子を形成した部分である。この回折格子により形成されるものは、例えばコード情報があり、一次元バーコードや二次元バーコードを形成することができる。また、回折格子自身の形状は、正弦波や矩形波的な形状が好ましく、またその深さ、格子間隔は要求される回折効率や回折角により異なるが、一般的にはいずれも０．１〜１０μｍ程度である。
【００３０】
図２は、上記本発明の情報記録媒体の製造に用いる一例となる転写箔７で、ポリエチレンテレフタレート（ＰＥＴ）フィルム等でなる支持体３０に回折格子パターンでなる回折格子情報記録部５を有する回折格子形成層６、反射性薄膜層４、凹凸吸収層３が順次積層されて、情報記録媒体の製造に用いる転写箔７とするものである。素材への転写性を高めるべく、凹凸吸収層３の表面に更に接着剤層（図示せず）を設けてもよい。
【００３１】
この転写箔７を、基材２に加熱加圧しながら転写し、支持体３０を剥離すると、図１に示すような基材２の凹凸を凹凸吸収層３で吸収し、読み取り装置１１によって、回折格子パターンのコード情報を確実に読み取り可能な情報記録媒体１とすることができる。
【００３２】
上記反射性薄膜層４に代え、透過性薄膜層とすることもあり、さらに回折格子形成層６と支持体３０の間に、例えばアクリル樹脂、塩酢ビ樹脂などでなる剥離性保護層（図示せず）を設け、支持体３０の剥離性を容易にし、回折格子形成層６の保護層とすることもできる。
【００３３】
次に、かかる情報記録媒体１に記録された情報を読取るための読取装置１１について説明する。この読取装置１１は図１に示すように、読取り光１３を照射する読取り光照射部１２、回折光１４を受光する検出部１５からなる。
【００３４】
また、光照射部１２は、検出部１５が検出可能な波長域の光が含まれている光源であり、例えば発光ダイオード（ＬＥＤ）やレーザーのような光が照射可能な光源である。単一波長の光源でも連続波長の光源でもかまわない。
【００３５】
また、検出部１５は回折格子情報記録部５によって回折した回折光１４を検出する部分である。ここで検出された光を信号に変換し、回折格子情報記録部５に記録された記録情報として読取る。
【００３６】
読取り光照射部１２と検出部１５は回折格子情報記録部５に記録された回折格子の回折
角と等しい角度に設置される。読取り光１３の波長λと回折格子情報記録部５に記録された回折格子の格子間隔ｄの間には、λ＝ｄｓｉｎθの関係があるから、これを満たす角度で設置する。
【００３７】
以下に、本発明の具体的実施例について説明する。
【実施例１】
【００３８】
図１に示す基材２として、中心線平均粗さ（Ｒａ）が、２．１μｍの上質紙を用意した。
【００３９】
一方、図２に示す回折格子情報記録部５を含む転写箔７を作成するため、２５μｍ厚透明ポリエチレンテレフタレート樹脂フィルムの支持体３０上に、下記の回折格子形成層６用インキの組成に示したインキを用いて回折格子形成層６をワイヤーバーコータにて１μｍの厚みで設けた。
〔回折格子形成層６用インキの組成〕
・熱硬化性アクリルポリオール樹脂          ２０重量部
・メチルエチルケトン                      ４０重量部
・トルエン                                ４０重量部
次いで空間周波数５００本／ｍｍの回折格子を５ｍｍ角の二次元バーコード状に設けたレリーフ型のプレス版を用い、１２０℃、２０ｋｇ／ｃｍ2 にて３秒加熱加圧し、回折格子形成層６上に回折格子情報記録部５を形成した。
【００４０】
この上から、真空蒸着法にてアルミニウムを厚み５００ｎｍの反射性薄膜層４を設けた。さらに、この反射性薄膜層４上に下記凹凸吸収層３用インキの組成に示したインキをワイヤーバーコータにて厚み２μｍから１６μｍまで２μｍきざみで変化させて設け、８種類の転写箔７を作成した。
［凹凸吸収層３用インキ］
・アクリル樹脂                            ３０重量部
・メチルエチルケトン                      ３５重量部
・トルエン                                ３５重量部
上記で得られた８種類の転写箔７を用い、その凹凸吸収層３面を基材２である上質紙面に向けて重ねあわせ、１２０℃、２０ｋｇ／ｃｍ2 にて２分間平プレスを行い、転写箔７と上質紙を密着させてから支持体３０を剥離して図１に示す情報記録媒体１を得た。
【実施例２】
【００４１】
基材２として、中心線平均粗さ（Ｒａ）が、４．２μｍの上質紙を用いた以外は、実施例１と同様にして８種類の情報記録媒体１を得た。
【実施例３】
【００４２】
基材２として、中心線平均粗さ（Ｒａ）が、４．２μｍの上質紙を用いた以外は、実施例１と同様にして８種類の情報記録媒体１を得た。
【実施例４】
【００４３】
基材２として、中心線平均粗さ（Ｒａ）が、４．２μｍの上質紙を用いた以外は、実施例１と同様にして８種類の情報記録媒体１を得た。
【００４４】
上記実施例１から４で得られた情報記録媒体１の回折格子情報記録部５の読み取りを、図１に示す読み取り装置１１にて行なった。その読み取り装置１１としては、読み取り光照射用に波長６００ｎｍの赤色発光ダイオード（ＬＥＤ）を使用し、検出部１５に市販の二次元バーコードリーダを使用し、バーコードリーダ自身から照射される読み取り光１３
をカットして、上記ＬＥＤの回折光１４のみがバーコードリーダに検出されるようにした。なお、ＬＥＤと二次元バーコードの角度は前出の計算式から１７．４６度とした。
【００４５】
上記各実施例の読み取り結果を表１に示した。○は完全に読み取り可能、×は全く読み取り不可能、△は読めたり読めなかったり、を示す。
【００４６】
【表１】
2007130964.tif 000003
上記表１から明らかなように、基材２の中心線平均粗さ（Ｒａ）の２倍以上の厚みで凹凸吸収層６を設けたものは、完全に読み取りが可能であった。
【図面の簡単な説明】
【００４７】
【図１】本発明の情報記録媒体の一事例とその検証方法を説明する側断面図である。
【図２】本発明の情報記録媒体の製造に用いる転写箔の一事例を、側断面で表した説明図である。
【図３】従来の情報記録媒体の一事例とその検証方法を説明する側断面図である。
【符号の説明】
【００４８】
１‥‥情報記録媒体
２‥‥基材
３‥‥凹凸吸収層
４‥‥反射性薄膜層
５‥‥回折格子情報記録部
６‥‥回折格子形成層
７‥‥転写箔
１１‥‥読み取り装置
１２‥‥読み取り光照射部
１３‥‥読み取り光
１４‥‥回折光
１５‥‥検出部
３０‥‥支持体
【図１】
2007130964.tif 000004
【図２】
2007130964.tif 000005
【図３】
2007130964.tif 000006